(57)【特許請求の範囲】
【請求項１】
隣接する建物の天井部位の間隔部14を覆う伸縮継手構造の取付方法であって、横断面略コの字状の第１部材６と横断面略コの字状の第２部材７とを一体化して該第１部材６と該第２部材７との間に差込溝11を形成した水平状で一対の相対向する縁材保持用枠体２，２を、建物に支持された天井材１から、片持吊梁状に間隔部14の長手方向に沿って所定ピッチで複数対突設し、該縁材保持用枠体２…の先端部に、上下一対の縁材３，４を取付け、間隔部施蓋用の平板状化粧カバー12の幅方向端部を、上側の該縁材３の下端と水平状上辺18ｃが形成された下側の該縁材４の該上辺18ｃとの間を介して、上記縁材保持用枠体２…の上記差込溝11に差込んだ後、該縁材保持用枠体２の上記第１部材６の先端部と上記建物とを引張バー22にて連結することを特徴とする伸縮継手構造取付方法。
【請求項２】
隣接する建物の天井部位の間隔部14を覆う伸縮継手構造であって、相互に一体化されて間に差込溝11が形成される横断面略コの字状の第１部材６及び横断面略コの字状の第２部材７を有すると共に建物に支持された天井材１から間隔部14の長手方向に沿って所定ピッチで片持吊梁状に相対向するように複数対突設される水平状の縁材保持用枠体２…と、該縁材保持用枠体２の先端部に設けられる上下一対の縁材３，４と、上記縁材保持用枠体２の上記第１部材６の先端部と上記建物とを連結する引張バー22と、を備え、
下側の上記縁材４は、水平状上辺18ｃを有し、
上記縁材保持用枠体２の上記差込溝11には、上側の上記縁材３の下端と該下側の縁材４の該上辺18ｃとの間を介して、間隔部施蓋用の平板状化粧カバー12の幅方向端部が差込まれ、上記上側の縁材３の下端及び上記下側の縁材４の該上辺18ｃにて、該平板状化粧カバー12の該幅方向端部をスライド自在に支持するように構成したことを特徴とする伸縮継手構造。
【請求項３】
自由状態における平板状化粧カバー12の露出部26の幅寸法を、 300mm〜800mm とした請求項２記載の伸縮継手構造。
【発明の詳細な説明】
【０００１】
【発明の属する技術分野】
本発明は、伸縮継手構造取付方法及び伸縮継手構造に関する。
【０００２】
【従来の技術】
隣接する建物の天井部位の間隔部（目地部）を覆う伸縮継手構造としては、天井材（鉄骨材）に縁材を取付け、この縁材に、目地板（平板状化粧カバー）を載置状に支持させていた。
【０００３】
【発明が解決しようとする課題】
しかしながら、縁材は薄肉の板材からなり、平板状化粧カバー等の重みで、縁材が変形（弯曲）する虞れがあり、長期に渡って安定して間隔部（目地部）を覆うことができなかった。
【０００４】
そこで、本発明は、長期に渡って安定して天井部位の間隔部（目地部）を覆うことができ、しかも、建物の変動にも十分追従することができる伸縮継手構造取付方法及び伸縮継手構造を提供することを目的としている。
【０００５】
【課題を解決するための手段】
上述の目的を達成するために、本発明に係る伸縮継手構造取付方法は、隣接する建物の天井部位の間隔部を覆う伸縮継手構造の取付方法であって、横断面略コの字状の第１部材と横断面略コの字状の第２部材とを一体化して該第１部材と該第２部材との間に差込溝を形成した水平状で一対の相対向する縁材保持用枠体を、建物に支持された天井材から、片持吊梁状に間隔部の長手方向に沿って所定ピッチで複数対突設し、該縁材保持用枠体の先端部に、上下一対の縁材を取付け、間隔部施蓋用の平板状化粧カバーの幅方向端部を、上側の該縁材の下端と水平状上辺が形成された下側の該縁材の該上辺との間を介して、上記縁材保持用枠体の上記差込溝に差込んだ後、該縁材保持用枠体の上記第１部材の先端部と上記建物とを引張バーにて連結するものである。
【０００６】
また、本発明に係る伸縮継手構造は、隣接する建物の天井部位の間隔部を覆う伸縮継手構造であって、相互に一体化されて間に差込溝が形成される横断面略コの字状の第１部材及び横断面略コの字状の第２部材を有すると共に建物に支持された天井材から間隔部の長手方向に沿って所定ピッチで片持吊梁状に相対向するように複数対突設される水平状の縁材保持用枠体と、該縁材保持用枠体の先端部に設けられる上下一対の縁材と、上記縁材保持用枠体の上記第１部材の先端部と上記建物とを連結する引張バーと、を備え、下側の上記縁材は、水平状上辺を有し、上記縁材保持用枠体の上記差込溝には、上側の上記縁材の下端と該下側の縁材の該上辺との間を介して、間隔部施蓋用の平板状化粧カバーの幅方向端部が差込まれ、上記上側の縁材の下端及び上記下側の縁材の該上辺にて、該平板状化粧カバーの該幅方向端部をスライド自在に支持するように構成したものである。
そして、この伸縮継手構造においては、自由状態における平板状化粧カバーの露出部の幅寸法を、 300mm〜800mm とするのが好ましい。
【０００７】
【発明の実施の形態】
以下、本発明の実施の形態を図面に基づいて詳説する。
【０００８】
図１は本発明に係る伸縮継手構造を示し、この伸縮継手構造は、隣接する（図示省略の）建物の天井部位の間隔部14（目地部）を覆うものであり、建物に支持された天井材（軽量鉄骨材）１，１に取付けられる複数本の縁材保持用枠体２…と、該縁材保持用枠体２の先端部に取付けられる上下一対の縁材３，４と、を備える。
ところで、天井材１は、上述の建物から垂下される支持ロッド５…にて水平状に支持される。
【０００９】
しかして、縁材保持用枠体２は、天井材１に固着される第１部材６と、該第１部材６と一体化される第２部材７と、を備える。即ち、第１部材６は、図２と図３に示すように、断面略コの字状のスチール等の型材からなり、第２部材７は、同様に、断面略コの字状のスチール等の型材からなり、水平部８と該水平部８の基端から連設される鉛直部９と、からなる。
【００１０】
この場合、図２に示すように、第２部材７の鉛直部９が第１部材６に固着され、第１部材６と第２部材７とが一体化される。即ち、第１部材６の側壁６ａにＬ字状の保持片10，10を固着し、この保持片10，10間に第２部材７の鉛直部９を嵌め込み、この状態で溶接にて第１部材６と第２部材７の鉛直部９とを一体化する。
そして、第１部材６と第２部材７との間に所定間隙の差込溝11が形成される。即ち、この差込溝11に、平板状化粧カバー12（例えば、ステンレスやアルミニウム等からなる。）の幅方向端部が差込まれる。
【００１１】
ところで、天井材１の下方には、図１と図２に示すように、天井ボード13が設けられる。この天井ボード13は、例えば、石膏ボード、木質系ボード、プラスチックボード等の種々の材質のボードからなる。
【００１２】
しかして、縁材保持用枠体２は、各天井材１，１から片持吊梁状に水平状に突設され、間隔部14の長手方向に沿って所定ピッチで配設される。即ち、相対向する一対の縁材保持用枠体２，２が間隔部14の長手方向に沿って所定ピッチで複数対突設される。
【００１３】
そして、縁材保持用枠体２…の先端部に取付けられる縁材３は、図２に示すように、水平壁15と、該水平壁15の先端縁から垂下される垂下壁16とからなり、水平壁15がビス等の固着具17…を介して縁材保持用枠体２の第１部材６に取付けられる。また、縁材保持用枠体２の先端部に取付けられる縁材４は、断面コの字状の第１部18と、該第１部18とで共働して天井ボード13の端部を挾持状に保持する断面Ｌ字状の第２部19と、縁材保持用枠体２の第２部材７に固着される断面Ｌ字状の第３部20と、からなる。
【００１４】
即ち、第１部18と第２部19とは、第１部18の鉛直辺18ａと第２部19の鉛直辺19ａとが溶接等にて一体化され、第１部18の下辺18ｂと第２部の水平辺19ｂとで、天井ボード13の端縁部が嵌め込まれる嵌合用溝21が形成される。また、第３部20は、その水平辺20ｂが第２部材７にビス等の固着具17…にて固着され、この際、図示省略の皿ビス等の固着具にて第２部19の水平辺19ｂが第２部材７に固着される。
【００１５】
そして、縁材４の第１部18の上辺18ｃと、縁材３の垂下壁16の下端との間を介して、化粧カバー12の幅方向端部12ａが縁材保持用枠体２の差込溝11に差込まれる。即ち、相対向する縁材３，４，３，４にて、化粧カバー12の両幅方向端部12ａ，12ａが夫々スライド自在に支持される。なお、化粧カバー12の幅方向端縁部には折曲部12ｂが形成されている。
また、縁材保持用枠体２の先端部と上記図示省略の建物とは、ねじ軸からなる引張バー22にて連結される。
【００１６】
即ち、縁材保持用枠体２の第１部６の上面の先端部に、バー保持体23が立設され、このバー保持体23の保持片23ａに、引張バー22の下端部が挿通され、この保持片23ａに関して反対側に配設されるナット部材24，24を締め付けることによって、引張バー22を縁材保持用枠体２に連結することができる。なお、引張バー22は、鉛直方向に対して所定角度で傾斜し、その上端部が建物に図外の固定手段にて固定される。固定手段としては、例えば、上述のバー保持体23と、一対のナット部材24，24とからなるもの等であってもよい。
従って、引張バー22にて、縁材保持用枠体２の垂れ下がりを防止することができると共に、化粧カバー12のひずみを防止することができる。
【００１７】
ところで、自由状態における化粧カバー12の露出部26の幅寸法Ｗ（図１参照）、つまり、相対向する縁材３，４，３，４間寸法としては、例えば、 300mm〜800mm 位に設定される。即ち、幅寸法Ｗが 300mm以下であれば、その幅寸法が小さすぎて、化粧カバー12としての役目をあまり果たすことができず、逆に、幅寸法Ｗが 800mmを越えれば、化粧カバー12が、その幅方向中央部において垂れ下がる虞れがあるからである。
【００１８】
次に、上述の如く構成される伸縮継手構造の取付方法を説明する。
まず、各建物の天井材１，１に、間隔部14の長手方向に沿って所定ピッチで縁材保持用枠体２…を取付ける。
【００１９】
その後、化粧カバー12…の両幅方向端部12ａ，12ａを、縁材保持用枠体２…の差込溝11…に差込むと共に、縁材保持用枠体２…の先端部に、縁材３，４を取付ける。
次に、引張バー22の下端部を、バー保持体23を介して、縁材保持用枠体２の先端部、つまり、第１部材６の先端部に連結する。
【００２０】
従って、上述の如く構成された伸縮継手構造によれば、平板状化粧カバー12を安定して保持することができ、しかも、建物の変動にも、化粧カバー12の端部12ａが縁材保持用枠体２の差込溝11に対して幅方向にスライド可能であるので、十分追従することができる。
また、引張バー22にて縁材保持用枠体２の先端部が支持されるので、該枠体２の垂れ下がりと、化粧カバー12のひずみを有効に防止することができる。
【００２１】
なお、各建物側に設けられる縁材保持用枠体２の配設ピッチとしては、変更自由であるが、この配設ピッチとしては 300mm〜600mm とするのが好ましい。即ち、300mm 未満であれば、この保持用枠体２の数が多く施工が面倒であり、逆に、600mm を越えれば、保持用枠体２の長手方向の間隔が大となり、縁材３，４等が変形する虞れがあるからである。
【００２２】
また、化粧カバー12の幅寸法としては、例えば、 250mm〜600mm 位に設定され、各縁材保持用枠体２の差込溝11の溝深さとしては、この化粧カバー12の幅寸法や相対向する縁材保持用枠体２，２間寸法等を考慮して決定されるが、 250mm〜600mm 位に設定されるのが好ましい。
【００２３】
【発明の効果】
本発明は上述の如く構成されているので、次に記載する効果を奏する。
【００２４】
（請求項１記載の伸縮継手構造取付方法によれば）簡単かつ安定して化粧カバー12を取付けることができ、隣接する建物の天井部位を美しく仕上げることができる。しかも、化粧カバー12はその端部12ａが縁材保持用枠体２の差込溝11にスライド可能であるので、建物の変動にも十分追従することができる。しかも、引張バー22にて、各縁材保持用枠体２の垂れ下がり、及び化粧カバー12のねじれを有効に防止することができる。
（請求項２記載の伸縮継手構造によれば）安定して化粧カバー12を保持することができ、しかも、建物の変動にも、化粧カバー12が、縁材保持用枠体２…の差込溝11…をスライドして、十分追従することができる。
また、引張バー22にて、各縁材保持用枠体２…の垂れ下がり、及び化粧カバー12のねじれを有効に防止することができる。
（請求項３記載の伸縮継手構造によれば）平板状化粧カバー12が弯曲変形することなく安定して保持され、長期にわたって美しい天井部を形成することができる。
【図面の簡単な説明】
【図１】  本発明に係る伸縮継手構造の要部断面図である。
【図２】  要部拡大断面図である。
【図３】  要部拡大断面図である。
【符号の説明】
１  天井材
２  縁材保持用枠体
３  縁材
４  縁材
６  第１部材
７  第２部材
11  差込溝
12  化粧カバー
14  間隔部
18ｃ  上辺
22  引張バー
26  露出部
【図１】
0003792337.tif 000002
【図２】
0003792337.tif 000003
【図３】
0003792337.tif 000004